(57)【特許請求の範囲】
【請求項１】
ファイリング機能を備えた画像処理装置において、ユーザをパスワードにより認証する認証部と、指定された画像データを前記ファイリング機能により保存する場合、任意のパスワードを設定するか、あるいは、読み出すときにパスワードの確認をするか否かの区分を取得し、任意のパスワードの設定が指定されたときにはパスワードを取得し、取得したパスワードを前記画像データに対応させて記憶部に記憶し、あるいは、パスワードの確認をするか否かの区分が指定されたときには前記認証部で認証されたときのパスワードと前記区分を前記画像データに対応させて記憶部に記憶する制御部と、を備えることを特徴とする画像処理装置。
【請求項２】
請求項１に記載の画像処理装置において、前記制御部は、指定された画像データを前記ファイリング機能により読み出す場合、前記記憶部を参照して、前記画像データに対応する区分にパスワードの確認をすると設定されていたとき、パスワードの入力を要求して、入力されたパスワードと前記画像データに対応したパスワードに基づいて読み取り可能かを判定し、あるいは、前記画像データに対応する区分にパスワードの確認をしないと設定されていたとき、前記認証部で認証したパスワードと前記画像データに対応するパスワードに基づいて読み取り可能かを判定することを特徴とする画像処理装置。
【請求項３】
請求項１に記載の画像処理装置において、前記制御部は、指定された画像データを前記ファイリング機能により読み出す場合、前記記憶部を参照して、前記画像データに対応するパスワードと前記認証部で認証したパスワードとが異なるとき、パスワードの入力を要求して、入力されたパスワードと前記画像データに対応するパスワードに基づいて読み取り可能かを判定することを特徴とする画像処理装置。
【請求項４】
請求項１乃至３のいずれかに記載の画像処理装置において、前記制御部は、ユーザを認証して所定の時間が経過したのち、該ユーザの認証を解除することを特徴とする画像処理装置。
【請求項５】
請求項１乃至３のいずれかに記載の画像処理装置において、人体センサを備え、前記制御部は、前記人体センサが人を検知しなくなってから所定の時間が経過したのち、該ユーザの認証を解除することを特徴とする画像処理装置。
【請求項６】
請求項１乃至５のいずれかに記載の画像処理装置を備えたことを特徴とする画像形成装置。
【請求項７】
ファイリング機能を備えた画像処理装置の画像処理方法において、ユーザをパスワードにより認証する認証ステップと、指定された画像データを前記ファイリング機能により保存する場合、任意のパスワードを設定するか、あるいは、読み出すときにパスワードの確認をするか否かの区分を取得し、任意のパスワードの設定が指定されたときにはパスワードを取得し、取得したパスワードを前記画像データに対応させて記憶部に記憶し、あるいは、パスワードの確認をするか否かの区分が指定されたときには前記認証ステップで認証されたときのパスワードと前記区分を前記画像データに対応させて記憶部に記憶する制御ステップと、を備えることを特徴とする画像処理方法。
【発明の詳細な説明】
【技術分野】
【０００１】
本発明は、画像処理装置、画像処理方法および画像形成装置に関し、装置本体に保存した画像データのセキュリティを確保しつつ、操作性を向上させる画像処理装置、画像処理方法および画像形成装置に関する。
【背景技術】
【０００２】
今日、一般のオフィス環境には数多くのデジタル複合機が導入されている。このデジタル複合機は、スキャナ機能、コピー機能、プリント機能、ファクシミリ機能等のマルチファンクション化がなされ、ハードディスクを内部に搭載し、ネットワークに接続して、ＷｅｂブラウジングやＪａｖａ（登録商標）アプリケーションも動作する等の高機能化が進んでいる。
【０００３】
このように、デジタル複合機は、複写機、プリンタ、ファクシミリ等にとどまらず、ドキュメントファイリング端末、ネットワーク端末としても使用されるので、不正な利用やデータの流出に対し、十分なセキュリティ対策を施す必要がある。
【０００４】
ユーザの使用権限を認定する方法としては、ユーザが認証情報（パスワードやＩＣカードの情報、あるいは、指紋や眼球等の生体情報等）を提示し、予めデジタル複合機に登録されている使用許可者の認証情報と照合し、一致した場合にそのユーザは認証され、デジタル複合機の使用が許可されるという、ユーザ認証が使われている（特許文献１、２）。
【０００５】
特許文献１の画像形成装置では、印刷実行した画像データを保存する場合、生成したデータ名のファイルにこの画像データを保存するとともに、ユーザから受け付けた認証情報と生成したデータ名とを対応させて本体内に登録する。さらに、生成したデータ名を暗号化して記憶媒体に記憶させる。そして、保存された画像データを印刷するときには、記録媒体に記憶された暗号化データ名を復号し、ユーザから受け付けた認証情報と復号したデータ名が本体内に登録されている場合に印刷するようにしている。
【０００６】
また、特許文献２の画像形成装置では、印刷実行した画像データを保存する際、ユーザの認証が行われている場合には、認証されたユーザに対応するボックスへ格納する。このボックスには、ユーザが指定する名前付ボックスとユーザが名前を指定しない無名ボックスとがある。保存されている画像データを利用して印刷するときには、ユーザが認証されていれば、認証されたユーザに対応するボックス（名前付きあるいは無名）に格納されている画像データのファイル名一覧を提示する。これにより、利用者に関係のあるファイル名の一覧から、所望の画像データを選ぶことができる。
【特許文献１】特開２００６−３２１０６３号公報
【特許文献２】特開２００７−４４９８９号公報
【発明の開示】
【発明が解決しようとする課題】
【０００７】
しかしながら、特許文献１の技術では、印刷に利用した画像データの保存や利用を行うときには、認証情報（パスワード）が要求されるので、ユーザの入力操作が煩雑になるという問題がある。
【０００８】
また、特許文献２の技術では、ユーザが印刷に利用した画像データについては、一度認証を行っておけば、一々認証情報（パスワード）が要求されないため、ユーザの操作性は向上している。しかし、自分以外のユーザが保存した画像データの存在を認識することができないため、同僚が保存した画像データを利用した印刷はできないという問題が生じる。
【０００９】
本発明は、上述した実情を考慮してなされたものであって、装置本体に保存した画像データのセキュリティを確保しつつ、操作性を向上させる画像処理装置、画像処理方法および画像形成装置を提供することを目的とする。
【課題を解決するための手段】
【００１０】
上記の課題を解決するために、本発明の画像形成装置は、次の構成を持つものである。
画像処理装置は、ファイリング機能と、ユーザを認証する認証部と、制御部とを有し、前記制御部は、
（１）指定された画像データを前記ファイリング機能により保存する場合、任意のパスワードを設定するか、あるいは、読み出すときにパスワードの確認をするか否かの区分を取得し、任意のパスワードの設定が指定されたときにはパスワードを取得し、取得したパスワードを前記画像データに対応させて記憶部に記憶し、あるいは、パスワードの確認をするか否かの区分が指定されたときには前記認証部で認証されたときのパスワードと前記区分を前記画像データに対応させて記憶部に記憶し、
（２）指定された画像データを前記ファイリング機能により読み出す場合、
（２−１）前記画像データに対応する区分にパスワードの確認をすると設定されていたとき、パスワードの入力を要求して、入力されたパスワードと前記画像データに対応したパスワードに基づいて読み取り可能かを判定し、
（２−２）前記画像データに対応する区分にパスワードの確認をしないと設定されていたとき、前記認証部で認証したパスワードと前記画像データに対応するパスワードに基づいて読み取り可能かを判定し、
（２−３）前記画像データに対応するパスワードと前記認証部で認証したパスワードとが異なるとき、パスワードの入力を要求して、入力されたパスワードと前記画像データに対応するパスワードに基づいて読み取り可能かを判定する。
【００１１】
さらに、前記制御部は、ユーザを認証して所定の時間が経過したのち、該ユーザの認証を解除するか、又は、人体センサが人を検知しなくなってから所定の時間が経過したのち、該ユーザの認証を解除する。
【００１２】
また、画像形成装置として、画像を読み取る画像読取部と、読み取った画像データの画像処理を行う上記の画像処理装置と、画像処理した結果を画像形成する画像形成部とを備えるものとしてもよい。
【発明の効果】
【００１３】
本発明によれば、装置本体に保存した画像データのセキュリティを確保しつつ、この画像データの保存や読み出し処理の操作性を向上させることができる。
【発明を実施するための最良の形態】
【００１４】
以下、図面を参照して本発明に係る好適な実施形態について説明する。本実施形態の画像形成装置は、デジタル複合機を例にして説明するが、これに限定されるものではなく、例えば、装置内部にデータを保存し、これを読出し可能とする情報処理装置にも適用可能である。
【００１５】
図１は、本発明が適用される画像形成装置の内部構成を示すブロック図である。
本発明が適用される画像形成装置１０は、ＣＰＵ（Central Processing Unit）１１を備えており、このＣＰＵ１１がＲＯＭ（Read Only Memory）１３に予め格納された制御プログラムをＲＡＭ（Random Access Memory）１４上にロードして実行することにより、バス１２を介して接続された各種ハードウェアを制御し、全体として本発明に係る画像形成装置として動作させる。
以下、バス１２に接続されている各種ハードウェアの構成について説明する。
【００１６】
操作パネル１６は、ユーザによる操作を受け付ける操作部１６ａと、ユーザに対して報知すべき情報を表示する表示部１６ｂとにより構成されている（図２）。
図２は、画像形成装置（デジタル複合機）の操作パネルを示す図で、デジタル複合機がコピーモードにあるときの表示である。
【００１７】
操作部１６ａは、タッチパネルの他に、液晶パネルに隣接して配置されたキー群があり、コピースタートを指示するためのスタートキー、実行中の処理を中断せしめるためのクリアオールキー、指示したモードの内容をクリアするクリアキー、コピー枚数等を指示するためのテンキー、モード毎の切り換えキー、ユーザ設定キー等が含まれる。
【００１８】
表示部１６ｂは、例えば、ドットマトリックスタイプの液晶パネルにより構成されており、ユーザに報知すべき情報を詳細に案内表示できるようになっている。また、この液晶パネルの画面上には透明なタッチパネルが設けられており、液晶パネル上に表示される情報に従ってタッチパネルを操作する。このタッチパネルは、装置内に指示情報として入力するための操作部１６ａの構成要素である。
【００１９】
また、表示部１６ｂは、初期画面として、「コピーモード」に基本画面が表示された状態で待機している。この基本画面の略中央域に本装置の外観図が表示され、システム構成（大容量給紙ユニット、フィニッシャユニット等の構成）が視認できるようになっている。また、選択されているモードや、選択されている給紙トレイ、画像形成等に関する情報も併せて表示される。
【００２０】
また、表示部１６ｂの上部域には、ユーザに対して装置の状況やアドバイス等を報知するメッセージ表示領域が確保されている。さらに、表示部１６ｂの右側域には、画像形成装置としての基本的機能（モード）を選択するキー群が、また、左側域には、画像形成装置に搭載されている特別な機能（モード）を選択するキー群が表示されている。
【００２１】
画像読取部１７は、読取り用の原稿に光を照射する光源、ＣＣＤ（Charge Coupled Device）のようなイメージセンサ、ＡＤ変換器等を備えており、所定の読取り位置にセットされた原稿の画像を当該イメージセンサに結像させてアナログ電気信号に変換し、得られたアナログ電気信号をＡＤ変換器によりＡＤ変換する。そして、ＡＤ変換して得られたデジタル信号に対して、原稿読取時の光源の配光特性、イメージセンサの感度ムラ等の補正を施すことによりデジタル形式の画像データを生成する。
【００２２】
通信ＩＦ１８は、ローカルエリアネットワーク等の所定の通信規格に準拠したインタフェースを備え、接続された外部コンピュータとの各種データの送受信の制御を行う。例えば、通信ＩＦ１８では、接続された外部コンピュータからのプリントジョブを受信し、逆に、通知すべき情報を送信する。
【００２３】
ファクシミリモデム１９は、外部ファクシミリ装置を接続するための回線終端回路を備え、公衆電話回線網を介してファクシミリデータの送受信を行う。そのため、ファクシミリモデム１９は、受信したファクシミリデータを復号するための復号回路、送信すべきファクシミリデータを符号化するための符号化回路を備えている。
【００２４】
画像メモリ２０は、半導体メモリにより構成されており、画像読取部１７により原稿の画像を読取って生成した画像データ、プリントジョブから展開される画像データ、およびファクシミリデータから展開される画像データを一時的に記憶する。
画像メモリ２０に一時的に記憶された画像データは、その利用目的に応じて、用紙上に画像形成を行う場合には画像形成部２１に転送され、ファクシミリデータとして送信する場合にはファクシミリモデム１９に転送され、ファイリング機能を利用して保存する場合には記憶部２３に転送される。
【００２５】
画像形成部２１は、画像メモリ２０から転送されてきた画像データに基づいて用紙上に画像形成を行う。そのため、画像形成部２１は、感光体ドラムを所定の電位に帯電させる帯電器、外部から受付けた画像データに応じてレーザ光を照射して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等を備えており、電子写真方式にて画像を用紙上に形成する。なお、画像形成の方式は、電子写真方式による他、インクジェット方式、熱転写方式、昇華方式等によるものであってもよい。
【００２６】
暗号・復号処理部２２は、記憶部２３に記憶させるデータの暗号化、および記憶部２３から読出すデータの復号を行う。そのため、暗号・復号処理部２２は、暗号化または復号を行うデータを入力する入力用バッファ、入力用バッファに設定されたデータに対して所定の暗号化アルゴリズムからなる演算処理を施す演算器、演算器による演算結果を保持する出力用バッファ等により構成される。
【００２７】
暗号化すべきデータまたは復号すべきデータは、入力用バッファに入力され、入力用バッファから入力データを取り出して演算器が演算処理を行い、演算処理が完了した段階でその演算結果を出力用バッファに書き込まれる。
【００２８】
記憶部２３は、ハードディスク装置等の不揮発性メモリで構成され、その記憶領域の一部は画像データ等を記憶するためのデータ領域として利用される。
このデータ領域は、主として作業中データを一時的に保持する作業領域２３ａと、データのファイル形式毎、プリンタ機能、スキャナ機能、コピー機能、ファクシミリ機能等の処理モード毎、またはユーザが作成したフォルダ毎等に整理してデータを記憶し、消去等の指示が行われない限り保存された状態となるファイリング領域２３ｂから構成されている。
【００２９】
操作パネル１６を通じて要求を受付けた場合または外部コンピュータから要求を受信した場合には、このファイリング領域２３ｂに画像データが格納されたり、このファイリング領域２３ｂに格納されている画像データが読み出される。例えば、プリント処理の失敗したときや出力部数の不足等のときには、ユーザはファイリング領域２３ｂに記憶された画像データに対してプリント処理を実行させることができる。
【００３０】
制御部２４は、画像読取機能、画像形成機能、通信機能、ファイリング機能等を制御することによって、当該装置の全般を制御する。
例えば、操作部１６ａによる指示により画像読取部１７からの画像データを受け付け、画像形成部２１に送って画像形成を実行させまた、ファイリング機能によって、画像読取部１７にて読み取られた画像データをファイリング領域２３ｂに保存したり、読み出したりする。さらに、ファイリング機能によって通信ＩＦ１８によりネットワークを介して外部コンピュータから受信した画像データをファイリング領域２３ｂに保存したり、読み出した画像データを外部コンピュータに送信する。
【００３１】
認証部２５は、ユーザの認証を行う認証手段である。ユーザの認証は、例えば操作部１６ａから入力されるユーザ名や認証情報等を制御部２４を介して受けて、入力された認証情報と入力されたユーザ名に対応する記憶部２３に記憶された認証情報とを比較し、一致したら入力されたユーザ名のユーザであると認証する。
ここで、認証情報は、パスワードに限らず指紋や眼球等の生体情報を用いてもよい。
【００３２】
また、本実施形態が適用される画像処理装置は、上記の構成の画像形成装置１０のうち、画像読取部１７および画像形成部２１を除いた構成である。
【００３３】
次に、本発明の詳細な内容について説明する。以下の説明では、ファイリング機能のうち親展保存および親展読み出しを例にして説明する。この親展保存されたファイルには、親展保存用パスワードが付加され、記憶部２３のファイリング領域２３ｂに格納される。また、この親展保存されたファイルを読み出す場合には、ユーザが親展保存用パスワードと同じパスワードを入力しなければ、読み出しができないものである。
【００３４】
図３は、親展保存の設定画面である。認証部２５により、ユーザの認証設定が有効である状況下で、親展保存の設定画面を開くと、親展保存用パスワード、ユーザ名、ファイル名、保存先（フォルダ名）等の保存のための詳細設定を行う画面が表示される。
図３では、設定時に効果の異なる二種類のチェックボックス３１，３２を設けた例である。
【００３５】
チェックボックス３１を有効（チェック）としたときには、ユーザ認証用パスワードと同じパスワードが親展保存用パスワードとして自動設定され、ファイルを再操作（例えば、親展保存したデータを呼び出して印刷や送信等の操作）しようとすると、親展保存用パスワードの入力が要求される。
【００３６】
また、チェックボックス３２を有効（チェック）としたときには、ユーザ認証用パスワードと同じパスワードが親展保存用パスワードとして自動設定され、ファイルを再操作しようとすると、その時に行われる親展保存用パスワードの入力が省略される。
【００３７】
また、図３において、チェックボックス３３を有効とした場合には、親展保存させることを有効にするとともに、親展保存用パスワードの入力設定画面に移行するための「パスワード」ボタン３４を押下可能な状態にさせる。
そして、「パスワード」ボタン３４を押下すると、図４に例示するような親展保存用パスワードの入力設定画面が表示され、ユーザは操作部１６ａからパスワードを入力し、「ＯＫ」ボタンを押下する。
【００３８】
図３によって設定された各種の設定値は、次に示すデータ項目（パスワード設定区分、パスワード、ユーザ名、ファイル名、保存先）に対応付けられ、当該ユーザと関連付けて記憶部２３に記憶される。
【００３９】
パスワード設定区分：「任意のパスワード設定（パスワード確認あり）」、「ユーザ認証用と同じパスワード設定（パスワード確認あり）」、「ユーザ認証用と同じパスワード設定（パスワード確認なし）」、「パスワード設定せずに保存」のいずれかが設定される。
パスワード：パスワード設定区分の値が「任意のパスワード設定」の場合には、ユーザが入力したパスワードが設定される。また、パスワード設定区分の値が「ユーザ認証用と同じパスワード設定（パスワード確認あり）」および「ユーザ認証用と同じパスワード設定（パスワード確認なし）」の場合には、ユーザが認証したときに入力したパスワードが設定される。尚、「パスワード設定せずに保存」の場合には、格納されるパスワードはない。
ユーザ名：認証したときのユーザの名前が設定される。
ファイル名：ユーザから入力された画像データのファイル名が設定される。
保存先：上記のファイルが格納されるフォルダ名がユーザから入力され、そのフォルダ名が設定される。保存先が入力されないときには、既定のフォルダ名が採用される。
【００４０】
尚、ユーザがユーザ認証を行っていない場合には、画像データを保存しようとしたときに、図５に例示した保存詳細設定画面が表示され、ユーザ名、ファイル名、保存先を入力しなければならない。この図５の画面では、図３の画面の「ユーザ認証用のパスワードと同じパスワードを設定」して親展保存するためのチェックボックスが非表示あるいはグレーアウト表示となり、親展保存の設定操作は「任意のパスワードを設定」する方法でのみ行える。
【００４１】
次に、画像データを保存するときの制御部２４の動作態様について説明する。図６は、ファイリング機能により画像データの保存要求がなされたときの制御部２４における処理手順を示すフローチャートである。
【００４２】
画像形成装置を使用するときに、認証部２５によりユーザ認証を行ったかを調べ、ユーザ認証を行っている場合には（ステップＳ１／ＹＥＳ）、親展保存の設定画面で受け付けて記憶部２３に記憶した設定値（パスワード設定区分、パスワード、ユーザ名、ファイル名、保存先）を取得して、ステップＳ４へ進む（ステップＳ２）。
【００４３】
一方、ユーザ認証を行っていない場合には（ステップＳ１／ＮＯ）、図５に例示した保存詳細設定画面を表示して、ユーザ名、ファイル名、保存先を入力させ、パスワード設定区分には「ユーザ認証なし」を、パスワードには「任意のパスワード設定」を行うかあるいは何も設定せずに、ステップＳ４へ進む。
【００４４】
次に、ステップＳ２およびステップＳ３で取得した値を画像データに関連付けて、指定されたフォルダのファイルへ保存し（ステップＳ４）、処理を終了する。
この関連付けは、関連付けテーブルをファイリング領域に格納しておくことによって管理される。関連付けテーブルは、保存されるファイルごとに、図７に例示したようなデータ項目が登録される。
【００４５】
フォルダ名：画像データの保存されるファイルが格納されるフォルダ名。
ファイル名：画像データのファイル名。
パスワード設定区分：「任意のパスワード設定（パスワード確認あり）」、「ユーザ認証用と同じパスワード設定（パスワード確認あり）」、「ユーザ認証用と同じパスワード設定（パスワード確認なし）」、「パスワード設定せずに保存」のいずれか。
パスワード：パスワード設定区分の値に応じたパスワード。パスワード設定区分の値が「パスワード設定せずに保存」のときのみ未設定。
ユーザ名：ユーザの名前。
【００４６】
次に、画像データを読み出すときの制御部２４の動作態様について説明する。図８は、ファイリング機能により画像データの読み出し要求がなされたときの制御部２４における処理手順を示すフローチャートである。
【００４７】
まず、読み出し対象の画像データに付随しているパスワード設定区分の値を調べる（ステップＳ１１）。
読み出し対象の画像データに付随しているパスワード設定区分の値が「パスワード設定せずに保存」であった場合、当該画像データを「パスワード設定せずに保存」、即ち、パスワードなしにアクセス可能な画像データとして保存したものと判断し、ステップＳ１６へ進む。
【００４８】
また、読み出し対象の画像データに付随しているパスワード設定区分の値が「任意のパスワード設定（パスワード確認あり）」あるいは「ユーザ認証用と同じパスワード設定（パスワード確認あり）」であった場合、当該画像データの読み出しにパスワードによる確認が必要であると判断してステップＳ１４へ進む。
【００４９】
また、読み出し対象の画像データに付随しているパスワード設定区分の値が「ユーザ認証用と同じパスワード設定（パスワード確認なし）」であった場合、当該装置のユーザ認証が有効になっている場合には（ステップＳ１２／ＹＥＳ）、読み出し対象の画像データに付随しているパスワードとユーザのユーザ認証に使ったパスワードと一致したとき（ステップＳ１３／ＹＥＳ）、当該画像データが読み出し可能としてステップＳ１６へ進む。
【００５０】
一方、読み出し対象の画像データに付随しているパスワードと、ユーザ認証に使ったパスワードとが異なる場合（ステップＳ１３／ＮＯ）、あるいは、読み出し対象の画像データに付随しているパスワード設定区分の値が「任意のパスワード設定（パスワード確認あり）」あるいは「ユーザ認証用と同じパスワード設定（パスワード確認あり）」であった場合、あるいは、当該装置のユーザ認証が有効になっていない場合には、読み出し対象の画像データのパスワードの入力を要求し、操作部１６ａからの入力を受け付ける（ステップＳ１４）。
【００５１】
次に、読み出し対象の画像データに付随しているパスワードと、ユーザが入力したパスワードとが一致した場合には（ステップＳ１５／ＹＥＳ）、当該画像データが読み出し可能としてステップＳ１６へ進む。
一方、読み出し対象の画像データに付随しているパスワードと、ユーザが入力したパスワードとが異なる場合には（ステップＳ１５／ＮＯ）、ユーザに対して「画像データの読み取りが拒絶された旨のメッセージ」を表示部１６ｂに出力して、画像データの読取処理を終了する（ステップＳ１７）。
【００５２】
読み出し可能と判断された場合、読み出し対象の画像データを記憶部２３から読み出してユーザが利用可能状態として出力し、画像データの読取処理を終了する（ステップＳ１６）。
【００５３】
以上の構成により、画像形成装置および画像処理装置に保存した画像データのセキュリティを確保しつつ、この画像データの保存や読み出し処理の操作性を向上させることができる。
【００５４】
尚、本発明は上述した実施形態に限定されず、本発明の要旨を逸脱しない範囲内で各種の変形、修正が可能であるのは勿論である。
【００５５】
例えば、上述の実施形態においては、ユーザを認証すると、認証解除されない限りそれ以降継続してユーザを認証した状態にあることになるが、この状態が継続すると使用が許可されていない者が画像形成装置を不正使用し、装置本体内に保持されているデータを不正に外部に持ち出したり、使用が許可されていない外部コンピュータと通信したりすることが考えられ、セキュリティ管理上問題となる場合がある。
【００５６】
この場合、上記の実施形態を、ユーザを認証した後に所定の経過時間が経過したとき、あるいは、装置に人体センサを設けておき、所定時間の間、この人体センサが人を検知しなかったときに、自動的にユーザの認証を解除するように構成してもよい。
【図面の簡単な説明】
【００５７】
【図１】本発明が適用される画像形成装置の内部構成を示すブロック図である。
【図２】画像形成装置の操作パネルを示す図で、コピーモードであるときの表示である。
【図３】親展保存の設定画面例である。
【図４】親展保存用パスワードの入力設定画面例である。
【図５】ユーザがユーザ認証を行っていない場合には、画像データを保存しようとしたときの保存詳細設定画面例である。
【図６】ファイリング機能により画像データの保存要求がなされたときの制御部における処理手順を示すフローチャートである。
【図７】関連付けテーブルに登録されるデータ構造例である。
【図８】ファイリング機能により画像データの読み出し要求がなされたときの制御部における処理手順を示すフローチャートである。
【符号の説明】
【００５８】
１０…画像形成装置、１１…ＣＰＵ、１２…バス、１３…ＲＯＭ、１４…ＲＡＭ、１６…操作パネル、１６ａ…操作部、１６ｂ…表示部、１７…画像読取部、１８…通信ＩＦ、１９…ファクシミリモデム、２０…画像メモリ、２１…画像形成部、２２…暗号・復号処理部、２３…記憶部、２３ａ…作業領域、２３ｂ…ファイリング領域、２４…制御部、２５…認証部、３１，３２，３３…チェックボックス、３４…パスワードボタン。
【図１】
0004446004.tif 000002
【図２】
0004446004.tif 000003
【図３】
0004446004.tif 000004
【図４】
0004446004.tif 000005
【図５】
0004446004.tif 000006
【図６】
0004446004.tif 000007
【図７】
0004446004.tif 000008
【図８】
0004446004.tif 000009